(57)【要約】      （修正有）【課題】引きだし箱の奥行きを変更し、引きだし箱の奥方に配管類が存在しても該引きだし箱を円滑に摺動自在に設けることができるキャビネットを提供する。【解決手段】キャビネットに設けられた外レールに引き出し箱５の側板７外面に形成された内レール１１を摺動自在に係合してなるキャビネットにおいて、引き出し箱５の背板８と側板７との引き出し方向の相対的位置を選択自在に設定すると共に、背板８を側板７、７間に固定し、背板８の奥側であって底板９の存在しない側板７、７間に回避空間１３を形成すると共に、一片は背板８奥外面に固定し他片は背板８より奥方向に突出する側板７に固定する補強ブラケットを設けてなるキャビネットである。【選択図】図４
2008093062.tif 000002
【特許請求の範囲】
【請求項１】
キャビネットに設けられた外レールに引き出し箱の側板外面に形成された内レールを摺動自在に係合してなるキャビネットにおいて、引き出し箱の背板と側板との引き出し方向の相対的位置を選択自在に設定すると共に、背板を側板間に固定し、背板の奥側であって底板の存在しない側板間に回避空間を形成すると共に、一片は背板奥外面に固定し他片は背板より奥方向に突出する側板に固定する補強ブラケットを設けてなるキャビネット。
【請求項２】
補強ブラケットは合成樹脂製Ｌ型材で形成され、側板には側板奥端部を内方に折曲して形成した係止片に係止し固定してなることを特徴とする請求項１記載のキャビネット。
【発明の詳細な説明】
【技術分野】
【０００１】
本発明は、キャビネットに設けられた外レールに引き出し箱の側板外面に形成された内レールを摺動自在に係合してなるキャビネットに関する。さらに詳しくは、引き出し箱の設置が配管類の邪魔により困難な場合においても容易に引き出し箱を設置することができるキャビネットに関するものである。
【背景技術】
【０００２】
従来から特許文献１に示されるキャビネットは知られている。即ち、左右両側板の外側面後部の上下に間隔をもってローラーをそれぞれ設け、これらローラーによってキャビネット本体に取り付けた外レールを上下から挟持すると共に、前記左右両側板の外側面に、前後方向の内レールを設け、この内レールによって案内されるローラーを、前記外レールの前部に設けた引き出し案内機構とする引き出し箱を有するキャビネットである。
【０００３】
キャビネットは上面に洗面部を設けた洗面化粧台、上面にシンクを設けたキッチンキャビネット等、水を使用する場合、キャビネット内に給水管、配水管等が配管され、設置する引き出し箱の奥行きに制限を受ける場合があり、この制限は施工現場によって異なるものである。この制限に対応するには両側板、底板を切断し、引き出し箱の奥行きを小さくすれば良いものであるが、両側板を切断する場合に両側板の外側面に設けた内レールも切断するために、内レールが切断時に変形したり、切断面にバリが生じたりして外レールとの摺動自在な係合が円滑にいかない場合があった。
【０００４】
又、底板のみを切断し、背板の位置を手前側に移動して両側板間に固定すれば両側板を切断せずに引き出し箱の奥行きを小さくすることができる。しかし、この場合においても背板の位置が手前側に移動しているために背板より奥側部では背板が支持しないので両側板は撓み、変形しやすいもので、引き出し箱を挿入するさい、両側板の内レールとキャビネット本体にもうけた外レールとの摺動自在な係合が円滑にいかない場合があった。
【特許文献１】特開２００４−３０５３５３号公報（要約及び図２）
【発明の開示】
【発明が解決しようとする課題】
【０００５】
本発明は、上記従来例におけるキャビネットの欠点を解決するもので、特に引きだし箱の奥行きを変更し、配管類が存在しても対応した引きだし箱を円滑に摺動自在に設けることができるキャビネットを提供することをその課題とするものである。
【課題を解決するための手段】
【０００６】
上記課題を解決するために、本発明に係るキャビネットは、キャビネットに設けられた外レールに引き出し箱の側板外面に形成された内レールを摺動自在に係合してなるキャビネットにおいて、引き出し箱の背板と側板との引き出し方向の相対的位置を選択自在に設定すると共に、背板を側板間に固定し、背板の奥側であって底板の存在しない側板間に回避空間を形成すると共に、一片は背板奥外面に固定し他片は背板より奥方向に突出する側板に固定する補強ブラケットを設けてなるものである。
【発明の効果】
【０００７】
請求項１に記載のキャビネットは、引き出し箱の背板と側板との引き出し方向の相対的位置を選択自在に設定すると共に、背板を側板間に固定し、背板の奥側であって底板の存在しない側板間に回避空間を形成すると共に、一片は背板奥外面に固定し他片は背板より奥方向に突出する側板に固定する補強ブラケットを設けてなるために、背板より奥方向に突出する側板は補強ブラケットにより撓みや変形することがなくキャビネット本体に設けられた外レールに引き出し箱の側板外面に形成された内レールを摺動自在に円滑に係合することができるものである。
【０００８】
請求項２に記載のキャビネットは、補強ブラケットは合成樹脂製Ｌ型材で形成され、側板には側板奥端部を内方に折曲して形成した係止片に係止し固定してなるために、請求項１に記載のキャビネットの効果に加え補強ブラケットの側板に容易に係止し固定することができるものである。
【発明を実施するための最良の形態】
【０００９】
以下、本発明の実施形態について図面を参照して、詳細に説明する。図１は本発明の実施例であるキャビネットを示す斜視図、図２は図１に示す実施例のＸ−Ｘ断面説明図、図３は引き出し箱の分解斜視図、図４は図３に示す引き出し箱の斜視図、図５は補強ブラケットの斜視図、図６は図４に示す引き出し箱に補強ブラケットを使用した状態の一部を示す平面説明図である。
【００１０】
図１及び図２において、１はキャビネットを示すもので天板にシンク２を形成したキッチンキャビネットであり、３はカランである。キャビネット１は前面に幕板１０、扉板４、及び引き出し箱５が設けられている。引き出し箱５は図３、図４に示す如く、前板６、側板７、７、背板８、底板９で構成されている。
【００１１】
側板７、７は外面に内レール１１を形成しており、内面に背板８を固定する固定部１２を形成している。固定部１２は側板７の奥行き方向に位置をずらせて複数個形成されており、奥行き方向に背板８の固定位置を変えることができるものである。奥行き方向に背板８の固定位置を変えると図２に示すごとく回避空間１３がその大きさを変えながら側板７、７と背板８との間により形成されることになる。回避空間１３は図２に示す如く配管部１４を回避するものである。
【００１２】
１５はキャビネット１に設けられた外レールであり側板７、７の外面に形成された内レール１１と摺動自在に係合して引き出し箱５が引き出し自在となるのである。ここで外レール１５と内レール１１が摺動自在に係合するということは特定の構造を限定して表現しているのではなく、従来から知られた構造であってもよい。
【００１３】
図５は補強ブラケット１６を示すもので、補強ブラケット１６は合成樹脂で形成されたＬ型材でなるものであり、図６に示す如く、一片１７は背板８奥外面に例えばビスで固定され、他片１８は側板７奥端部を内方に折曲して形成した係止片１９に係止されるものである。即ち、補強ブラケット１６の他片１８は係止突出部２０を有し、該係止突出部２０を係止片１９の係止孔２１に挿入係止するものである。
【００１４】
このように、補強ブラケット１６は背板８と側板７とを連結したことになるために側板７が撓んだり変形したりする恐れが少なく、このために引き出し箱５の内レール１１と外レール１５が円滑に摺動自在に係合するのである。尚、図面ではキッチンキャビネットを示したが洗面化粧台であってもよい。
【図面の簡単な説明】
【００１５】
【図１】本発明にかかるキャビネットの実施例の斜視図。
【図２】図１に示す実施例のキャビネットのＸ−Ｘ断面説明図。
【図３】図１に示す実施例の引き出し箱の補強ブラケットを除いた状態分解斜視図。
【図４】図１に示す実施例の引き出し箱の補強ブラケットを除いた状態の斜視図。
【図５】補強ブラケットの斜視図。
【図６】図１に示す実施例の引き出し箱の一部を示す平面説明図。
【符号の説明】
【００１６】
１        キャビネット
２        シンク
３        カラン
４        扉板
５        引き出し箱
６        前板
７        側板
８        背板
９        底板
１０      幕板
１１      内レール
１２      固定部
１３      回避空間
１４      配管部
１５      外レール
１６      補強ブラケット
１７      一片
１８      他片
１９      係止片
２０      係止突出部
２１      係止孔
【図１】
2008093062.tif 000003
【図２】
2008093062.tif 000004
【図３】
2008093062.tif 000005
【図４】
2008093062.tif 000006
【図５】
2008093062.tif 000007
【図６】
2008093062.tif 000008